【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
排気ガス再循環（ＥＧＲ）ガスタービンシステムであって、
ＥＧＲ経路に沿って位置決めされ再循環された排気ガスを圧縮して排気ガス希釈剤を生成するように構成された排気ガス圧縮機であって、流れ制御要素の位置に基づいて前記排気ガス圧縮機内への再循環された排気ガスの流れを調節するように構成され、複数の入口ガイドベーンを含む流れ制御要素を有する入口セクションを含み、前記流れ制御要素の位置が最大開放位置から最小開放位置まで移動可能である排気ガス圧縮機と、
前記ＥＧＲ経路に沿って前記排気ガス圧縮機の上流に位置決めされた再循環ブロアであって、前記再循環された排気ガスの流れを前記入口セクションに提供するように構成され、該再循環された排気ガスの流れが最小ブロア出力から最大ブロア出力まで変動する再循環ブロアと、
前記流れ制御要素と前記再循環ブロアとに接続されたコントローラであって、前記ＥＧＲガスタービンシステムの測定された又はモデル化されたパラメータに基づいて該流れ制御要素の位置を制御するように構成され、前記再循環ブロアの１又は２以上の作動パラメータを制御して、該流れ制御要素の位置に基づいて前記入口セクションへの再循環された排気ガスの流れを制御するように構成されるコントローラと、を備えている、
ことを特徴とするシステム。
【請求項２】
前記コントローラは、前記再循環ブロアの１又は２以上の作動パラメータを制御し、前記最大開放位置に対する前記流れ制御要素の位置に基づいて前記入口セクションへの再循環された排気ガスの流れを制御するように構成されている、
請求項１に記載のＥＧＲガスタービンシステム。
【請求項３】
前記測定された又はモデル化されたパラメータは、ＥＧＲガスタービンシステムの排気温度、点火温度、又はこれらの組合せを含む、
請求項１に記載のＥＧＲガスタービンシステム。
【請求項４】
前記最小開放位置は、前記排気ガス圧縮機の失速限界及び前記流れ制御要素の最小開放限界に基づいており、
前記最大開放位置は、前記流れ制御要素の最大開放限界に基づいている、
請求項１に記載のＥＧＲガスタービンシステム。
【請求項５】
前記最小ブロア出力は、前記再循環ブロアの失速限界、該再循環ブロアの最小圧力限界、及び該再循環ブロアの最小圧力上昇限界に基づいており、
前記最大ブロア出力は、前記入口セクションでの最大圧力限界に基づいている、
請求項１に記載のＥＧＲガスタービンシステム。
【請求項６】
前記再循環ブロアは、複数のブロアベーンを含み、
前記１又は２以上の作動パラメータは、前記複数のブロアベーンのピッチ、前記再循環ブロアの回転速度、該再循環ブロアに印加された電力の量、又はこれらの組合せを含む、
請求項１に記載のＥＧＲガスタービンシステム。
【請求項７】
約０．９５と約１．０５の間の当量比で酸化剤及び前記排気ガス希釈剤の存在下で燃料を燃焼させるように構成されたタービン燃焼器を備えている、
請求項１に記載のＥＧＲガスタービンシステム。
【請求項８】
前記コントローラは、前記再循環ブロアの前記１又は２以上の作動パラメータを制御して、前記流れ制御要素の位置が設定値位置にほぼ留まるように前記入口セクションへの前記再循環された排気ガスの流れを制御するように構成される、
請求項１に記載のＥＧＲガスタービンシステム。
【請求項９】
前記流れ制御要素は、前記排気ガスの流れが前記コントローラによって前記最小ブロア出力又は前記最大ブロア出力に設定されるまで前記設定値位置にほぼ留まるように前記コントローラによって構成される、
請求項８に記載のＥＧＲガスタービンシステム。
【請求項１０】
前記設定値位置は、前記最小開放位置から前記最大開放位置までの範囲の約７５％よりも大きい、
請求項８に記載のＥＧＲガスタービンシステム。
【請求項１１】
前記設定値位置は、前記最小開放位置から前記最大開放位置までの範囲の約９０％よりも大きい、
請求項８に記載のＥＧＲガスタービンシステム。
【請求項１２】
排気ガス再循環（ＥＧＲ）ガスタービンシステムを制御する方法であって、
前記ＥＧＲガスタービンシステムの排気ガス圧縮機の複数の入口ガイドベーンの角度を調整する段階であって、前記複数の入口ガイドベーンが、最小角度及び最大角度によって定められる第１の運動範囲を有し、該角度が、前記ＥＧＲガスタービンシステムの１又は２以上のモニタされた又はモデル化されたパラメータに基づいて調整される前記角度を調整する段階と、
前記モニタされた又はモデル化されたパラメータが、前記ＥＧＲガスタービンシステムの排気温度、点火温度、又はこれらの組合せを含み、
前記排気ガス圧縮機の上流に配置された再循環ブロアの複数のブロアベーンのピッチを調整する段階であって、該複数のブロアベーンが、最小ピッチ及び最大ピッチによって定められる第２の運動範囲を有し、前記複数のブロアベーンのピッチが、少なくとも前記複数の入口ガイドベーンの最小角度に基づいて調整されるピッチを調整する段階と、を含む、
ことを特徴とする方法。
【請求項１３】
前記複数のブロアベーンの前記ピッチは、少なくとも部分的に、前記再循環ブロアの失速限界、該再循環ブロアの最小圧力限界、及び該再循環ブロアの最小圧力上昇限界に基づいて調整される、
請求項１２に記載の方法。
【請求項１４】
前記ピッチを調整する段階は、前記複数の入口ガイドベーンの前記角度が設定値角度に実質的に留まることを可能にするようにピッチを調節する段階である、
請求項１２に記載の方法。
【請求項１５】
前記設定値角度は、前記複数の入口ガイドベーンの前記最小角度から前記最大角度まで該複数の入口ガイドベーンの前記第２の運動範囲の約２０％未満である、
請求項１４に記載の方法。
【請求項１６】
前記設定値角度は、前記複数の入口ガイドベーンの前記最小角度から前記最大角度まで前記複数の入口ガイドベーンの運動範囲の約５％である、
請求項１４に記載の方法。
【請求項１７】
前記複数のブロアベーンの前記ピッチが前記最小ピッチ又は前記最大ピッチに調整されるまで前記複数の入口ガイドベーンの前記角度を前記設定値角度にほぼ維持する段階を含む、
請求項１４に記載の方法。
【請求項１８】
電子デバイスのプロセッサによって実行可能な命令を格納する非一時的コンピュータ可読媒体であって、
前記命令は、
ガスタービンシステムの圧縮機セクションの複数の入口ガイドベーンの角度を該ガスタービンシステムの１又は２以上のモデル化された又は測定されたパラメータに基づいて調整する命令であって、該角度が、最小角度から最大角度までの範囲に及ぶ前記調整する命令と、
前記圧縮機セクションの入口に流体的に連結されたブロアの複数のブロアベーンのピッチを調整する命令であって、該ピッチが、最小ピッチから最大ピッチまでの範囲に及び、該ピッチが、前記最小角度に対する前記複数の入口ガイドベーンの前記角度に基づいて調整される前記ピッチを調整する命令と、を含む、
ことを特徴とする媒体。
【請求項１９】
前記燃焼器セクションは、再循環圧縮機セクションであり、前記ブロアは、排気ガス再循環（ＥＧＲ）タービンシステムの再循環ブロアである、
請求項１８に記載の媒体。
【請求項２０】
前記命令は、前記複数のブロアベーンの前記ピッチを調整して前記複数の入口ガイドベーンの前記角度と前記最小角度の間にヘッドスペースを維持する、
請求項１８に記載の媒体。
【請求項２１】
前記ヘッドスペースは、前記複数の入口ガイドベーンの前記角度の前記範囲の約１０％未満又はそれに等しいことを特徴とする請求項２０に記載の媒体。
【請求項２２】
前記ヘッドスペースは、前記複数の入口ガイドベーンの前記角度の前記範囲の約５％未満又はそれに等しい、
請求項２０に記載の媒体。